(57)【要約】【課題】深度等により必要とされる強度を有する壁厚や拡底形状の地中連続壁施工を可能とする。【解決手段】無端チェーンカッター方式の横掘掘削機を多重チェーン方式とし、掘削方向直角断面がテーパ形状や拡底形状のカッターポストを用い、このカッターポスト上の各々のチェーンが中間スプロット及びまたはチェーンガイドにて、異る軌道を周回するようにさせる。また、隣合うチェーンに取付けられた掘削刃が重ならぬように交互（互い違い）等の配置を行い、拡幅部においてチェーン幅より広い掘削刃の掘削軌道外周面が多少重なるか、または少なくとも接するように構成することを特徴とする。【選択図】  図１
2004332503.tif 000002
【特許請求の範囲】
【請求項１】
無端多重チェーンカッター方式の横掘掘削機において、多重チェーン方式とし、掘削方向直角断面所望形状のカッターポストを用い、個々のチェーンはそのカッターポスト上を中間スプロット及びまたはチェーンガイドにて、異なる軌道を周回させることを特徴とするテーパ形状、拡底形状、等の連続壁施工方法。
【請求項２】
無端多重チェーンカッター方式の横掘掘削機において、多重チェーン方式とし、掘削方向直角断面所望形状のカッターポストを用い、個々のチェーンはそのカッターポスト上を中間スプロット及びまたはチェーンガイドにて、異なる軌道を周回させることを特徴とするテーパ形状、拡底形状、等の連続壁施工装置。
【請求項３】
上記個々のチェーン上に取付けられた掘削刃が隣合うチェーンに取付けられたの掘削刃が重ならぬよう、交互（互い違い）等の配置に取付けられていることを特徴とする請求項２のテーパ形状、拡底形状、等の連続壁施工装置。
【発明の詳細な説明】
【０００１】
【発明の属する技術分野】
本発明は、壁厚を深度等により必要とする厚さに施工できる地中連続壁施工方法及びその装置に関する。
【０００２】
【従来の技術】
山留壁のように片側を掘削除去するものや内部を開削するものにおいては壁上部の剛性は底部の剛性に比べ小さくてよい。また地中基礎として使われる場合も同じことがいえる。
ところが、従来の無端チェーンカッター方式の壁厚は一定であり、上部壁厚のかなりの部分は無駄になっていた。
また、多軸機にて連続壁を構築する時、一般に連続壁の底部に壁厚よりも大きな厚みの部分を形成して支持力を増大することが知られているが、従来の無端チェーンカッター方式ではその造成が不可能であった。
その他、カッターポストの上端部は地上にあり、掘削土等の飛散防止と危険防止等の目的でカバーが被せられている。しかし、その目的からカバーをカッターポストの厚さや駆動スプロケットの径より極端に大きくすることはできないため、カッターの幅や撹拌プレート幅はカバー内を通過できる大きさに制限されるていた。
【０００３】
【発明が解決しようとする課題】
そこで、壁厚の無駄部分を省き、深度等により必要とされる強度を有する壁厚や拡底形状の地中連続壁施工を可能とし、不要壁厚の減少による固化材の低減等を含めたコストの低減を図りうる地中連続壁施工方法及びその装置を提供することにある。
【０００４】
【課題を解決しようとする手段】
上記課題を解決する手段として本発明は、無端チェーンカッター方式の横掘掘削機を多重チェーン方式とし、掘削方向直角断面がテーパ形状や拡底形状のカッターポストを用い、このカッターポスト上の各々のチェーンが中間スプロット及びまたはチェーンガイドにて、異る軌道を周回するようにさせる。また、隣合うチェーンに取付けられた掘削刃が重ならぬように交互（互い違い）等の配置を行い、拡幅部においてチェーン幅より広い掘削刃の掘削軌道外周面が多少重なるか、または少なくとも接するように構成することを特徴とするテーパ形状及び拡底形状地中連続壁施工方法及びその装置にある。
【０００５】
こうしたことにより、拡低形状や掘削方向直角断面形状がテーパ形状、即ち底部に行くほど壁厚の厚い地中連続壁を構築することができる。
【０００６】
従って、深度等により必要とする強度の壁厚にでき、上部の壁厚の無駄部分が除けるので固化剤の節減になりコスト削減が図れ、またカッターポスト上端部のカバー幅より大きな拡底形状の連続壁施工が可能となる。
【０００７】
【発明の実施の形態】
以下、本発明を図面に示す実施の形態を参照して説明する。
【０００８】
図１は本発明を実施するに用いる多重無端チェーンカッター方式によるテーパ形状連続壁施工装置の一実施形態を示すもので、図１−１はその正面図であり図１−２はその側面図である。また、図２は図１の拡幅部Ａの拡大図である。尚、図３は本発明によって造成できる種々の連続壁の掘削方向に対する直角断面形状を示すものである。（３−１）は図１に示した連続壁の掘削方向に対する直角断面形状となるように２つのチェーン７ａ，７ｂ方式のものであり、連続壁施工後に内部を開削利用するため、開削面を垂直にしたものを示したものである。（３−２）は図１と同様であるが３つのチェーン（図示せず）方式のもので多重にすればするほど、当然のことであるが、壁の厚みを厚くすることができることを示したものである。（３−３）は３つのチェーン（図示せず）方式のもので掘削方向に対する直角断面を拡底形状にすることができることを示したものである。（３−４）は同じく３つのチェーン（図示せず）方式のもので掘削方向に対する直角断面をビヤ樽形状にすることができることを示したものであり、途中にあっても拡幅することができることを示したものである。
【０００９】
図１では掘削方向に対し直角断面が台形（図３−１）の連続壁を掘削するように設定されている。このため、掘削方向から見たカッターポスト５は地上部が直方体で地中掘削部は図３−１の形状に形成されている。また、前記カッターポスト５上端の駆動用スプロケット８は同軸に取付けられている油圧モーター４にて回転駆動し、カッターポスト５の下端には従動スプロケット１０が軸支されており、その外周に沿って２つのチェーン７ａ，７ｂが周回できるようチェーン７ａ，７ｂの軌道を拘束する中間スプロット９及びまたは支持具（図示せず）が装備され、これらのチェーン７ａ，７ｂには掘削刃６が取付けられている。尚、上記中間スプロット９及びまたは支持具（図示せず）は拡幅部または縮幅部の起点に設けられており、チェーン軌道の変折のガイドとして作用する。
【００１０】
また、上記チェーン７ａ，７ｂに取付けられている掘削刃６はチェーン幅よりも大きく、その片側はカッターポスト５からはみ出す構成であり、拡幅部と縮幅部の差を大きく取りたい場合は、左右対称の掘削刃ではなく異なるチェーンに取付けられた掘削刃外辺軌道が重なる部分を長くし、片側のカッターポスト５からはみ出す部分を短くした非対称掘削刃（図示せず）を使用することにより達成される。
【００１２】
加えて、前記カッターポスト５内にはセメントミルク等の地盤改良薬液を上端の駆動用スプロケット８下部の注入薬液供給口１１から下端の従動スプロケット１０付近に設けられた薬液吐出口（図示せず）に連通する薬液管路となる注入管（図示せず）が設けられており、随時薬液を地中に吐出し得るようになっている。
【００１３】
この他、テーパ形状連続壁への鉄筋等の補強材挿入方法として、例えば特許第３３７７０５４号の方法における間隔保持条材の長さを底部から上部にかけて短くしていくことにより、完全には折り畳んだ縮小状態にはならないまでも、吊り下ろし開始時の低部厚みが縮小できるので、上部の壁の厚み幅を通過でき、連続壁内に最終的にテーパ厚みを有する篭体を挿入できる。
【００１４】
尚、多重チェーンの装着されている各々のカッターポストをスライド式とし油圧ピストン等にて拡幅しながら、テーパ形状等の連続壁を造成する機構も考えられるが複雑高価になり実質的ではない。
【００１５】
次に上記実施形態の作用を図１の例にて説明する。
【００１６】
掘削方向直角断面がテーパ形状であり開削側面が垂直になるよう構成したカッターポスト５の外周に沿って装着された２つのチェーン７ａ，７ｂに、掘削刃６を重なることのないよう交互に取付け、この掘削刃６の底部先端をリーダ１に沿って昇降シリンダ３にてカッターポスト５を降下し、発進位置に接地させ、次いで油圧モーター４を起動し、駆動スプロケット８を介しチェーン７ａ，７ｂを回動すると共にリーダ１に沿って昇降シリンダ３にてカッターポスト５を降下し掘削を開始し、設定深度までカッターポスト５の建て込みを行う。
【００１７】
次に、図示しないが、地上の余剰液リサイクルプラント（例：特開２００１−２７１３３８記載の装置）からセメントミルク等の地盤改良薬液を上端の駆動用スプロケット８下部の注入薬液供給口１１を通して送り込み、下端の従動スプロケット１０付近に設けられた薬液吐出口（図示せず）から吐出させつつ、クローラ２を到達位置に向けて前進させる。ここで発生する余剰混合土はプラントに回収し、余剰混合土中の地盤改良薬液等は回収使用される。
【００１８】
そして、カッターポスト５が到達位置に達した段階で、薬液の供給を止め、チェーン７ａ，７ｂを回動させながら、カッターポスト５をリーダ１に沿って引き揚げ地上に回収した後、油圧モーター４を停止する。こうして、発進位置から到達位置までの間の掘削方向に対する掘削断面が台形のソイルセメント連続壁溝が造成される。尚、発進位置と到達位置の建て込み及び引き上げ孔の部分は装置の構造から拡底部壁厚の直方体孔になる。
【００１９】
尚、説明は省くが図３に示す掘削断面形状のものも同様の方法にて造成される。
【００２０】
【発明の効果】
深度等により必要とされる強度の壁厚にできので、不要壁厚の減少分固化剤等の節減になり、コスト低減を図れる。
また、この応用として拡底形状の地中連続壁の施工も出来る。
更に、拡幅部に比し、掘削土等の飛散防止と危険防止等用のカバー幅も拡幅部より小さくてすむ。
【図面の簡単な説明】
【図１】本発明における施工機の一実施形態を示す説明図。（１−１）は正面図、（１−２）はその側面図。
【図２】図１の拡幅部Ａの拡大図。
【図３】本発明にて施工可能な各種掘削方向直角断面図。（３−１）は２重チェーン方式によるテーパ形状連続壁断面図、（３−２）は３重チェーン方式によるテーパ形状連続壁断面図、（３−３）は拡底形状連続壁断面図、（３−４）はビア樽形状連続壁断面図。
【符号の説明】
１    リーダ
２    クローラ
３    昇降シリンダ
４    油圧モーター
５    カッターポスト
６    掘削刃
７ａ，７ｂ  チェーン
８    駆動スプロケット
９    中間スプロケット
１０  従動スプロケット
１１  薬液供給口
【図１】
2004332503.tif 000003
【図２】
2004332503.tif 000004
【図３】
2004332503.tif 000005